(57)【要約】【課題】温度変化等によりインキ貯溜部内の圧力が上昇しても、弁装置の開口時に過剰のインキが外部に漏出するおそれがなく、また、１本の筆記具で２色のインキが吐出可能となる両頭式筆記具を提供する。【解決手段】軸筒２の内部に、軸筒２の一端より開口する第１のインキタンク５Ａと、軸筒２の他端より開口する第２のインキタンク５Ｂとを設ける。第１のインキタンク５Ａと第２のインキタンク５Ｂとを互いに連通しない構成とする。第１のインキタンク５Ａの開口部に、第１のペン先４Ａの後退により開口する第１の弁装置６Ａを配置する。第１の弁装置６Ａの後方に第１のインキ貯溜部７Ａを形成する。第２のインキタンク５Ｂの開口部に、第２のペン先４Ｂの後退により開口する第２の弁装置６Ｂを配置する。第２の弁装置６Ｂの後方に第２のインキ貯溜部７Ｂを形成する。【選択図】  図１
0003147230.tif 000002
【実用新案登録請求の範囲】
【請求項１】
両端が開口する軸筒の内部に隔壁を形成し、前記軸筒の内部に、前記軸筒の一端より開口する第１のインキタンクと、前記軸筒の他端より開口する第２のインキタンクとを設け、前記第１のインキタンクと前記第２のインキタンクとを互いに連通しない構成とし、前記第１のインキタンクの開口部に、軸方向可動の第１のペン先と該第１のペン先の後退により開口する第１の弁装置とを配置し、前記第1の弁装置の後方の第１のインキタンク内に第１のインキ貯溜部を形成し、前記第２のインキタンクの開口部に、軸方向可動の第２のペン先と該第２のペン先の後退により開口する第２の弁装置とを配置し、前記第２の弁装置の後方の第２のインキタンク内に第２のインキ貯溜部を形成したことを特徴とする両頭式筆記具
【請求項２】
前記隔壁を長手方向に延設し、前記第１のインキタンクが、前方に開口する第１の大径部と、前記隔壁により小径化され、前記第１の大径部の後方に連設される第１の小径部とからなり、前記第１の大径部内に第１の弁装置を配置し、第１の小径部内に第１のインキ貯溜部を形成し、前記第２のインキタンクが、前方に開口する第２の大径部と、前記隔壁により小径化され、前記第２の大径部の後方に連設される第２の小径部とからなり、前記第２の大径部内に第２の弁装置を配置し、第２の小径部内に第２のインキ貯溜部を形成した請求項１記載の両頭式筆記具。
【請求項３】
前記第１の弁装置は、第１のペン先と連動可能な第１の弁体と、前記第１の弁体と密接可能な第１の弁座と、前記第１の弁体を前方に付勢する第１の弾発体と、前記第１の弁体及び前記第１の弾発体を収容する第１の弁収容筒とからなり、前記第２の弁装置は、第２のペン先と連動可能な第２の弁体と、前記第２の弁体と密接可能な第２の弁座と、前記第２の弁体を前方に付勢する第２の弾発体と、前記第２の弁体及び前記第２の弾発体を収容する第２の弁収容筒とからなり、前記第１の弁体の後端を第１の弁収容筒の後端から後方に突出させ、第１の弁装置の閉鎖状態における前記第１の弁体の後端と隔壁との間の軸方向の隙間を、第１の弁体の軸方向の移動可能距離よりも大きく設定し、前記第２の弁体の後端を第２の弁収容筒の後端から後方に突出させ、第２の弁装置の閉鎖状態における前記第２の弁体の後端と隔壁との間の軸方向の隙間を、第２の弁体の軸方向の移動可能距離よりも大きく設定した請求項１または２記載の両頭式筆記具。
【請求項４】
第１の弁体と第２の弁体、第１の弁座と第２の弁座、第１の弾発体と第２の弾発体、及び第１の弁収容筒と第２の弁収容筒は、それぞれが互いに同一部品である請求項３記載の両頭式筆記具。
【考案の詳細な説明】
【技術分野】
【０００１】
本考案は、軸筒の両端にペン先を備えた直液タイプの両頭式筆記具に関する。尚、本考案において、「前」とは、第１のインキタンクにおいて第１のペン先側を指し、第２のインキタンクにおいて第２のペン先側を指し、「後」とは、第１のインキタンクにおいて第１のインキ貯溜部側を指し、第２のインキタンクにおいて第２のインキ貯溜部側を指す。
【背景技術】
【０００２】
従来この種の両頭式筆記具において、特許文献１には、軸筒の両端に、ペン先の後退により開口する弁装置を備えた筆記具が開示されている。
【０００３】
【特許文献１】実用新案登録第３０５８０８６号公報
【考案の開示】
【考案が解決しようとする課題】
【０００４】
前記従来の両頭式筆記具は、一つの大きなインキ貯溜部から両端のペン先にインキが供給される構造である。そのため、インキ消費によりインキ貯溜部内のインキ残量が少なくなりインキ貯溜部内の空気量が多くなると、温度変化等によりインキ貯溜部内の圧力が上昇した際、弁装置の開口時に過剰のインキが外部に漏出するおそれがある。また、前記従来の両頭式筆記具は、１本の筆記具に１種類のインキが充填されているため、異なる種類のインキで筆記するには、複数本の筆記具を用意しなければならない。また、前記従来の両頭式筆記具は、軸筒を透明材料により構成し、内部のインキを視認可能にしても、１色のインキのみなのでカラフルさに欠ける。
【０００５】
本考案は、前記従来の問題点を解決するものであって、温度変化等により各々のインキ貯溜部内の圧力が上昇した際、いずれの弁装置を開口しても過剰のインキが外部に漏出するおそれがなく、また、１本の筆記具で２色のインキが吐出可能となり、しかも、カラフルな外観を有する両頭式筆記具を提供しようとするものである。
【課題を解決するための手段】
【０００６】
（構成１）
本考案両頭式筆記具は、両端が開口する軸筒２の内部に隔壁３を形成し、前記軸筒２の内部に、前記軸筒２の一端より開口する第１のインキタンク５Ａと、前記軸筒２の他端より開口する第２のインキタンク５Ｂとを設け、前記第１のインキタンク５Ａと前記第２のインキタンク５Ｂとを互いに連通しない構成とし、前記第１のインキタンク５Ａの開口部に、軸方向可動の第１のペン先４Ａと該第１のペン先４Ａの後退により開口する第１の弁装置６Ａとを配置し、前記第１の弁装置６Ａの後方の第１のインキタンク５Ａ内に第１のインキ貯溜部７Ａを形成し、前記第２のインキタンク５Ｂの開口部に、軸方向可動の第２のペン先４Ｂと該第２のペン先４Ｂの後退により開口する第２の弁装置６Ｂとを配置し、前記第２の弁装置６Ｂの後方の第２のインキタンク５Ｂ内に第２のインキ貯溜部７Ｂを形成したこと（構成１）を要件とする。
【０００７】
前記構成１により、軸筒２内に隔壁３を形成することによって、簡易な構造で、容量の比較的小さい第１のインキタンク５Ａと、容量の比較的小さい第２のインキタンク５Ｂとを得る。その結果、インキ消費により各々のインキ貯溜部内７Ａ・７Ｂのインキ残量が少なくなり各々のインキ貯溜部７Ａ・７Ｂ内の空気量が多くなり、温度変化等により各々のインキ貯溜部７Ａ・７Ｂ内の圧力が上昇した際、各々の弁装置６Ａ・６Ｂを開口しても、過剰のインキが外部に漏出するおそれがない。また、前記構成１により、２つのインキ貯溜部７Ａ・７Ｂを有するため、１本の両頭式筆記具で２色のインキが吐出可能となる。
【０００８】
（構成２）
前記構成１において、前記隔壁３を長手方向に延設し、前記第１のインキタンク５Ａが、前方に開口する第１の大径部５１Ａと、前記隔壁３により小径化され、前記第１の大径部５１Ａの後方に連設される第１の小径部５２Ａとからなり、前記第１の大径部５１Ａ内に第１の弁装置６Ａを配置し、第１の小径部５２Ａ内に第１のインキ貯溜部７Ａを形成し、前記第２のインキタンク５Ｂが、前方に開口する第２の大径部５１Ｂと、前記隔壁３により小径化され、前記第２の大径部５１Ｂの後方に連設される第２の小径部５２Ｂとからなり、前記第２の大径部５１Ｂ内に第２の弁装置６Ｂを配置し、第２の小径部５２Ｂ内に第２のインキ貯溜部７Ｂを形成したこと(構成２)が好ましい。
【０００９】
前記構成２により、各々の大径部５１Ａ・５１Ｂ内に弁装置を配置し、各々の小径部５２Ａ・５２Ｂ内にインキ貯溜部７Ａ・７Ｂを形成したことにより、各々のインキ貯溜部７Ａ・７Ｂの容量を、容易に小さく設定できる。
【００１０】
（構成３）
前記構成１または２において、前記第１の弁装置６Ａは、第１のペン先４Ａと連動可能な第１の弁体６１Ａと、前記第１の弁体６１Ａと密接可能な第１の弁座６２Ａと、前記第１の弁体６１Ａを前方に付勢する第１の弾発体６３Ａと、前記第１の弁体６１Ａ及び前記第１の弾発体６３Ａを収容する第１の弁収容筒６４Ａとからなり、前記第２の弁装置６Ｂは、第２のペン先４Ｂと連動可能な第２の弁体６１Ｂと、前記第２の弁体６１Ｂと密接可能な第２の弁座６２Ｂと、前記第２の弁体６１Ｂを前方に付勢する第２の弾発体６３Ｂと、前記第２の弁体６１Ｂ及び前記第２の弾発体６３Ｂを収容する第２の弁収容筒６４Ｂとからなり、前記第１の弁体６１Ａの後端を第１の弁収容筒６４Ａの後端から後方に突出させ、第１の弁装置６Ａの閉鎖状態における前記第１の弁体６１Ａの後端と隔壁３との間の軸方向の隙間ａを、第１の弁体６１Ａの軸方向の移動可能距離ｂよりも大きく設定し、前記第２の弁体６１Ｂの後端を第２の弁収容筒６４Ｂの後端から後方に突出させ、第２の弁装置６Ｂの閉鎖状態における前記第２の弁体６１Ｂの後端と隔壁３との間の軸方向の隙間ｃを、第２の弁体６１Ｂの軸方向の移動可能距離ｄよりも大きく設定したこと（構成３）が好ましい。
【００１１】
前記構成３（ａ＞ｂ，ｃ＞ｄ）により、第１の弁体６１Ａ後端と隔壁３との当接を回避し、且つ、第２の弁体６１Ｂ後端と隔壁３との当接を回避し、第１の弁体６１Ａの軸方向の移動可能距離ｂ及び第２の弁体６１Ｂの軸方向の移動可能距離ｄを確実に設定でき、適正な弁開口量（即ち各々のペン先４Ａ・４Ｂへの適正なインキ供給量）をばらつきなく確実に得る。
【００１２】
（構成４）
前記構成３において、第１の弁体６１Ａと第２の弁体６１Ｂ、第１の弁座６２Ａと第２の弁座６２Ｂ、第１の弾発体６３Ａと第２の弾発体６３Ｂ、及び第１の弁収容筒６４Ａと第２の弁収容筒６４Ｂは、それぞれが互いに同一部品であること（構成４）が好ましい。
【００１３】
前記構成４により、第１の弁装置６Ａの構成部品と第２の弁装置６Ｂの構成部品を互いに共通にでき、部品の種類を増加させず、組立を容易にできるとともに、製造コストの上昇を抑えることができる。もし、第1弁装置の構成部品と第２の弁装置６Ｂの構成部品が互いに共通でない場合、部品の種類が増加し、組立が複雑化し、製造コストが上昇する。
【考案の効果】
【００１４】
請求項１によれば、温度変化等により各々のインキ貯溜部内の圧力が上昇した際、いずれの弁装置を開口しても過剰のインキが外部に漏出するおそれがない。また、１本の両頭式筆記具で２色のインキが吐出可能となる。
【００１５】
請求項２によれば、各々のインキ貯溜部の容量を、容易に小さく設定できる。
【００１６】
請求項３によれば、各々の弁棒後端と隔壁との当接を回避し、各々の弁体の軸方向の移動可能距離を確実に設定できる。
【００１７】
請求項４によれば、部品の種類を最小限に抑え、組立を容易にできるとともに、製造コストの上昇を抑えることができる。
【考案を実施するための最良の形態】
【００１８】
図１乃至図７に本考案の実施の形態を示す。
本実施の形態の両頭式筆記具１は、主に、軸筒２と、軸筒２の一端に設けた第１のペン先４Ａと、第１のペン先４Ａと連動し且つ開閉作動する第１の弁装置６Ａと、軸筒２の他端に設けた第２のペン先４Ｂと、第２のペン先４Ｂと連動し且つ開閉作動する第２の弁装置６Ｂとからなる。
【００１９】
・軸筒
前記軸筒２は、両端が開口された円筒体であり、透明または半透明の合成樹脂（即ち、無色透明または非着色透明性の合成樹脂）の射出成形により得られる。前記軸筒２の内面には、隔壁３が一体に形成される。前記隔壁３により、前記軸筒２の内部に、軸筒２２の一端より開口する第１のインキタンク５Ａと、軸筒２の他端より開口する第２のインキタンク５Ｂとが形成される。前記隔壁３により、前記第１のインキタンク５Ａと第２のインキタンク５Ｂとの間は、連通せず、互いにインキが流通しないように遮断される。前記透明または半透明の合成樹脂は、例えば、ポリプロピレンが挙げられる。
【００２０】
・隔壁
前記隔壁３は、軸方向に延設された構成（即ち、少なくとも、軸線と平行に延びる構成または軸線に対して傾斜した構成）よりなる。即ち、隔壁３の一端が、第１の弁装置６Ａ近傍の軸筒２側壁内面に接続され、且つ、隔壁３の他端が、第２の弁装置６Ｂ近傍の軸筒２側壁内面に接続される。前記隔壁３は、本実施の形態では、軸線と略平行に延びる中央壁部３１と、該中央壁部３１の両端より延設される軸線に対して傾斜した第１の傾斜壁部３２及び第２の傾斜壁部３３とからなる。前記第１の傾斜壁部３２は、第１のインキ保溜部材近傍の軸筒２側壁内面に一体に連結され、前記第２の傾斜壁部３３は、第２のインキ保溜部材近傍の軸筒２側壁内面に一体に連結される。前記隔壁３により、第１のインキ貯溜部７Ａと第２のインキ貯溜部７Ｂとが、隔壁３を介して径方向に重なり合う２層の重層状態に設けられる。
【００２１】
・インキタンク
前記第１のインキタンク５Ａは、前方に開口する横断面円形状の第１の大径部５１Ａと、該第１の大径部５１Ａより後方に連設される横断面半円形状の第１の小径部５２Ａとからなる。前記第１のインキタンク５Ａの第１の大径部５１Ａには、第１の弁装置６Ａが嵌入される。前記第１の弁装置６Ａの後方の第１のインキタンク５Ａ内（即ち第１の弁装置６Ａの後方の第１の大径部５１Ａと第１の小径部５２Ａとからなる空間）には、第１のインキ貯溜部７Ａが形成される。
【００２２】
同様に、前記第２のインキタンク５Ｂは、前方に開口する横断面円形状の第２の大径部５１Ｂと、該第２の大径部５１Ｂより後方に連設される横断面半円形状の第２の小径部５２Ｂとからなる。前記第２のインキタンク５Ｂの第２の大径部５１Ｂには、第２の弁装置６Ｂが嵌入される。前記第２の弁装置６Ｂの後方の第２のインキタンク５Ｂ内（即ち第２の弁装置６Ｂの後方の第２の大径部５１Ｂと第２の小径部５２Ｂとからなる空間）には、第２のインキ貯溜部７Ｂが形成される。
【００２３】
前記第１のインキタンク５Ａの第１の小径部５２Ａと第２のインキタンク５Ｂの第２の小径部５２Ｂは隔壁３を介して径方向に重なり合う２層の重層状態となる。前記第１のインキタンク５Ａの第１の小径部５２Ａと第２のインキタンク５Ｂの第２の小径部５２Ｂとの重層部分の外径は、前記第１のインキタンク５Ａの第１の大径部５１Ａの外径及び第２のインキタンク５Ｂの第２の大径部５１Ｂと、略同一外径に設定される。尚、本考案において、第１のインキタンク５Ａと第２のインキタンク５Ｂとが分離可能に連結される構成とし、連結状態において１本の軸筒を構成し、分離状態において第１のインキタンクを有する第１の筆記体と第２のインキタンクを有する第２の筆記体とに分離される構成でもよい。
【００２４】
・弁装置
前記第１の弁装置６Ａは、図２乃至図４に示すように、第１のペン先４Ａと連動可能な第１の弁体６１Ａと、前記第１の弁体６１Ａと密接可能な第１の弁座６２Ａと、前記第１の弁体６１Ａを前方に付勢する第１の弾発体６３Ａと、前記第１の弁体６１Ａ、前記第１の弁座６２Ａ、及び前記第１の弾発体６３Ａを収容する第１の弁収容筒６４Ａとからなる。前記第１の弁収容筒６４Ａにより、前記第１の弁装置６Ａはユニット化され、それが軸筒２の一端開口部（即ち第１の大径部５１Ａ内）に圧入される。
【００２５】
同様に、前記第２の弁装置６Ｂは、図５乃至図７に示すように、第２のペン先４Ｂと連動可能な第２の弁体６１Ｂと、前記第２の弁体６１Ｂと密接可能な第２の弁座６２Ｂと、前記第２の弁体６１Ｂを前方に付勢する第２の弾発体６３Ｂと、前記第２の弁体６１Ｂ、前記第２の弁座６２Ｂ、及び前記第２の弾発体６３Ｂを収容する第２の弁収容筒６４Ｂとからなる。前記第２の弁収容筒６４Ｂにより、前記第２の弁装置６Ｂはユニット化され、それが軸筒２の他端開口部（即ち第２の大径部５１Ｂ内）に圧入される。
【００２６】
・弁体
前記第１の弁体６１Ａは、弁部６１１Ａとその後方に連設される棒状部６１２Ａとからなる。前記弁部６１１Ａの前面には取付孔が形成され、該取付孔に第１のペン先４Ａの後端が圧入される。それにより、第１のペン先４Ａと第１の弁体６１Ａとが連動可能となる。前記棒状部６１２Ａの後端部は、第１の弁収容筒６４Ａの底壁のガイド孔６４１Ａに挿通される摺動部６１３Ａと、前記摺動部６１３Ａの前方に形成され且つ第１の弁収容筒６４Ａの底壁に当接可能な規制壁部６１４Ａ（具体的には段部）とを備える。
【００２７】
同様に、前記第２の弁体６１Ｂは、弁部６１１Ｂとその後方に連設される棒状部６１２Ｂとからなる。前記弁部６１１Ｂの前面には取付孔が形成され、該取付孔に第２のペン先４Ｂの後端が圧入される。それにより、第２のペン先４Ｂと第２の弁体６１Ｂとが連動可能となる。前記棒状部６１２Ｂの後端部は、第２の弁収容筒６４Ｂの底壁のガイド孔６４１Ｂに挿通される摺動部６１３Ｂと、前記摺動部６１３Ｂの前方に形成され且つ第２の弁収容筒６４Ｂの底壁に当接可能な規制壁部６１４Ｂ（具体的には段部）とを備える。
【００２８】
・弁収容筒
前記第１の弁収容筒６４Ａは、有底筒体であり、その前端部内面に第１の弁座６２Ａが圧入固着される。前記第１の弁座６２Ａと第１の弁収容筒６４Ａの底壁との間には、第１の弁体６１Ａと第１の弾発体６３Ａが収容される。前記第１の弾発体６３Ａの前端は、第１の弁体６１Ａの弁部６１１Ａの後面に係止され、前記第１の弾発体６３Ａの後端は、第１の弁収容筒６４Ａの底壁に係止される。前記第１の弾発体６３Ａにより第１の弁体６１Ａが前方に付勢され、第１の弁体６１Ａの弁部６１１Ａが第１の弁座６２Ａに密接される。前記第１の弁収容筒６４Ａの側壁にはインキ流通孔６４２Ａが貫設される。前記インキ流通孔６４２Ａを介して、第１のインキ貯溜部７Ａと第１の弁収容筒６４Ａ内部との間が連通される。
【００２９】
同様に、前記第２の弁収容筒６４Ｂは、有底筒体であり、その前端部内面に第２の弁座６２Ｂが圧入固着される。前記第２の弁座６２Ｂと第２の弁収容筒６４Ｂの底壁との間には、第２の弁体６１Ｂと第２の弾発体６３Ｂが収容される。前記第２の弾発体６３Ｂの前端は、第２の弁体６１Ｂの弁部６１１Ｂの後面に係止され、前記第２の弾発体６３Ｂの後端は、第２の弁収容筒６４Ｂの底壁に係止される。前記第２の弾発体６３Ｂにより第２の弁体６１Ｂが前方に付勢され、第２の弁体６１Ｂの弁部６１１Ｂが第２の弁座６２Ｂに密接される。前記第２の弁収容筒６４Ｂの側壁にはインキ流通孔６４２Ｂが貫設される。前記インキ流通孔６４２Ｂを介して、第２のインキ貯溜部７Ｂと第２の弁収容筒６４Ｂ内部との間が連通される。
【００３０】
・弁座
前記第１の弁座６２Ａは、中心に中心孔６２１Ａが軸方向に貫設された環状部材である。前記中心孔６２１Ａには第１のペン先４Ａが挿通される。前記第１の弁座６２Ａは第１の弁体６１Ａの弁部６１１Ａと軸方向に密接されることにより、第１の弁装置６Ａが閉鎖され、第１のペン先４Ａと第１のインキ貯溜部７Ａとの間のインキ流通が遮断される。一方、前記第１の弁座６２Ａと弁部６１１Ｂとの密接が解除されると、第１の弁装置６Ａが開口され、第１のペン先４Ａと第１のインキ貯溜部７Ａとの間のインキ流通が可能となる。
【００３１】
同様に、前記第２の弁座６２Ｂは、中心に中心孔６２１Ｂが軸方向に貫設された環状部材である。前記中心孔６２１Ｂには第２のペン先４Ｂが挿通される。前記第２の弁座６２Ｂは第２の弁体６１Ｂの弁部６１１Ｂと軸方向に密接されることにより、第２の弁装置６Ｂが閉鎖され、第２のペン先４Ｂと第２のインキ貯溜部７Ｂとの間のインキ流通が遮断される。一方、前記第２の弁座６２Ｂと弁部６１１Ｂとの密接が解除されると、第２の弁装置６Ｂが開口され、第２のペン先４Ｂと第２のインキ貯溜部７Ｂとの間のインキ流通が可能となる。
【００３２】
前記第１の弾発体６３Ａ及び第２の弾発体６３Ｂは、具体的には圧縮コイルスプリングよりなる。前記第１の弾発体６３Ａ及び第２の弾発体６３Ｂの弾発力は、通常の筆記時の筆圧で第１の弁体６１Ａ及び第２の弁体６１Ｂが後退可能なように設定される。
【００３３】
・ペン先保持筒、インキ吸収体
前記軸筒２の一端開口部には、第１のペン先４Ａの外面を摺動可能に保持する第１のペン先保持筒８Ａが固着される。前記第１のペン先保持筒８Ａの前端より第１のペン先４Ａの前端が前方に突出する。また、前記第１のペン先保持筒８Ａの内部には、第１のペン先４Ａの外周面を包囲する環状の第１のインキ吸収体９Ａ（例えば、繊維加工体または多孔質体）が収容され、より一層、インキ漏出を防止できる。
【００３４】
同様に、前記軸筒２の他端開口部には、第２のペン先４Ｂの外面を摺動可能に保持する第２のペン先保持筒８Ｂが固着される。前記第２のペン先保持筒８Ｂの前端より第２のペン先４Ｂの前端が前方に突出する。また、前記第２のペン先保持筒８Ｂの内部には、第２のペン先４Ｂの外周面を包囲する環状の第２のインキ吸収体９Ｂ（例えば、繊維加工体または多孔質体）が収容され、より一層、インキ漏出を防止できる。
【００３５】
本実施の形態において、各部品（ペン先、弁体、弁座、弁収容筒、弾発体）は、互いに同一部品（同一材料、同一形状）である。即ち、第１のペン先４Ａと第２のペン先４Ｂは同一部品であり、第１の弁体６１Ａと第２の弁体６１Ｂは同一部品であり、第１の弁座６２Ａと第２の弁座６２Ｂは同一部品であり、第１の弁収容筒６４Ａと第２の弁収容筒６４Ｂは同一部品であり、第１の弾発体６３Ａと第２の弾発体６３Ｂは同一部品である。
【００３６】
・インキ
前記第１のインキ貯溜部７Ａ内には、第１のインキが貯溜され、第２のインキ貯溜部７Ｂには、第２のインキが貯溜される。前記第１のインキと第２のインキとは、互いに色が異なる組合せが採用される。それにより、１本の両頭式筆記具で、２色のインキが吐出可能となる。前記第１のインキ貯溜部７Ａ内の第１のインキ及び第２のインキ貯溜部７Ｂ内の第２のインキは、軸筒２が透明または半透明の材料よりなることから、外部より視認可能り、カラフルな外観を得る。本実施の形態では、第１のインキ及び第２のインキは、蛍光顔料または蛍光染料を含むインキが採用される。それにより、発色の優れた、見栄えのよい両頭式筆記具１が得られる。前記第１のインキと第２のインキの色の組合せは、例えば、蛍光イエローと蛍光ピンクの組合せ、蛍光イエローと蛍光オレンジの組合せ、蛍光イエローと蛍光グリーンの組合せ、蛍光ピンクと蛍光オレンジの組合せ、蛍光ピンクと蛍光グリーンの組合せ、蛍光イエローと蛍光ブルーの組合せ、または蛍光イエローと蛍光バイオレットの組合せ等が、配色の見栄えが良い点から好ましい。
【００３７】
前記第１のインキ及び第２のインキは、隔壁３を介して径方向の２層の重層状態で視認される。第１のインキ貯溜部７Ａ及び第２のインキ貯溜部７Ｂには、第１のペン先４Ａまたは第２のペン先４Ｂのいずれのペン先を下向きにしても、第１のインキタンク５Ａの第１の小径部５２Ａ及び第２のインキタンク５Ｂの第２の小径部５２Ｂに常時インキが存在するよう第１のインキ及び第２のインキの充填量が設定される。それにより、第１のペン先４Ａまたは第２のペン先４Ｂを下向きにした際、第１のインキと第２のインキとを、隔壁３を介して左右（即ち径方向）に２層の重層状態で確実に視認可能となる。
【００３８】
・ペン先
前記第１のペン先４Ａは、繊維加工体または多孔質体よりなり、第１のインキ貯溜部７Ａ内の第１のインキが含浸されることにより、外部より第１のインキの色が視認され、第１のペン先４Ａが第１のインキの色に着色された状態となる。同様に、前記第２のペン先４Ｂも、繊維加工体または多孔質体であり、第２のインキ貯溜部７Ｂ内の第２のインキが含浸されることにより、外部より第２のインキの色が視認され、第２のペン先４Ｂが第２のインキの色に着色された状態となる。本実施の形態では、第１のペン先４Ａ及び第２のペン先４Ｂは、同一形状の、繊維の樹脂加工体（例えばポリエステル繊維の樹脂加工体）よりなる。
【００３９】
本実施の形態は、前記軸方向に延設された隔壁３（即ち中央壁部３１とその両側の二つの傾斜壁部とからなる隔壁３）を、第１の弁装置６Ａの後端と第２の弁装置６Ｂの後端との間の軸方向の中央位置に配置させている。それにより、第１のインキ貯溜部７Ａの容量と第２のインキ貯溜部７Ｂの容量とが等しく設定される。本考案は、これ以外にも、第１のインキ貯溜部７Ａと第２のインキ貯溜部７Ｂの容量を異なるものにしてもよい。
【００４０】
・作用
図４に示すように、筆記時、筆圧により、第１のペン先４Ａが被筆記面１０（紙面）により後方に押圧され、第１の弾発体６３Ａの前方付勢に抗して第１のペン先４Ａ（第１の弁体６１Ａ）が後退し、第１の弁体６１Ａの規制壁部６１４Ａが弁収容筒の底壁に当接し、弁体の後方移動が規制されるとともに、第１の弁座６２Ａと第１の弁体６１Ａの弁部６１１Ａとの密接が解除され、第１の弁装置６Ａが開口される。第１の弁装置６Ａが開口されると、第１のインキ貯溜部７Ａ内のインキが、第１の弁座６２Ａと第１の弁体６１Ａの弁部６１１Ａとの間を通って第１のペン先４Ａに供給される。一方、非筆記時、第１のペン先４Ａ（即ち第１の弁体６１Ａ）が第１の弾発体６３Ａの前方付勢により前方に移動し、第１の弁体６１Ａの弁部６１１Ａと第１の弁座６２Ａが密接することにより、第１の弁装置６Ａが閉鎖され、第１のインキ貯溜部７Ａから第１のペン先４Ａへのインキ供給が遮断される。
【００４１】
同様に、図７に示すように、筆記時、筆圧により、第２のペン先４Ａが被筆記面１０（紙面）により後方に押圧され、第２の弾発体６３Ｂの前方付勢に抗して第２のペン先４Ｂ（第２の弁体６１Ｂ）が後退し、第２の弁体６１Ｂの規制壁部６１４Ｂが弁収容筒の底壁に当接し、弁体の後方移動が規制されるとともに、第２の弁座６２Ｂと第２の弁体６１Ｂの弁部６１１Ｂとの密接が解除され、第２の弁装置６Ｂが開口される。第２の弁装置６Ｂが開口されると、第２のインキ貯溜部７Ｂ内のインキが、第２の弁座６２Ｂと第２の弁体６１Ｂの弁部６１１Ｂとの間を通って第２のペン先４Ｂに供給される。一方、非筆記時、第２のペン先４Ｂ（即ち第２の弁体６１Ｂ）が第２の弾発体６３Ｂの前方付勢により前方に移動し、第２の弁体６１Ｂの弁部６１１Ｂと第２の弁座６２Ｂが密接することにより、第２の弁装置６Ｂが閉鎖され、第２のインキ貯溜部７Ｂから第２のペン先４Ｂへのインキ供給が遮断される。
【００４２】
尚、本実施の形態では、前記第１の弁体６１Ａの軸方向の移動可能距離ｂ（即ち、第１の弁体６１Ａと第１の弁座６２Ａの密接状態から第１の弁体６１Ａの後方移動の規制された状態までの第１の弁体６１Ａの軸方向の移動量）は、第１の弁体６１Ａと第１の弁座６２Ａの密接状態における第１の弁体６１Ａの後端と隔壁３との軸方向の隙間ａよりも小さく設定されている。それにより、第１の弁体６１Ａを後退させ、第１の弁装置６Ａを開口させても、隔壁３に第１の弁体６１Ａの後端が当接しない構成であるため、規制壁部６１４Ａと第１の弁収容筒６４Ａの底壁との当接により第１の弁体６１Ａの後方移動を確実に規制でき、第１の弁体６１Ａの後方移動距離ｂを、ばらつきなく一層確実に設定できる。前記実施の形態以外にも、本考案は、第１の弁体６１Ａ後端が隔壁３に当接可能に構成し、隔壁３が規制壁部６１４Ａの機能を果たす構成でもよい。
【００４３】
同様に、本実施の形態では、前記第２の弁体６１Ｂの軸方向の移動可能距離ｄ（即ち、第２の弁体６１Ｂと第２の弁座６２Ｂの密接状態から第２の弁体６１Ｂの後方移動の規制された状態までの第２の弁体６１Ｂの軸方向の移動量）は、第２の弁体６１Ｂと第２の弁座６２Ｂの密接状態における第２の弁体６１Ｂの後端と隔壁３との軸方向の隙間ｃよりも小さく設定されている。それにより、第２の弁体６１Ｂを後退させ、第２の弁装置６Ｂを開口させても、隔壁３に第２の弁体６１Ｂの後端が当接しない構成であるため、規制壁部６１４Ｂと第２の弁収容筒６４Ｂの底壁との当接により第２の弁体６１Ｂの後方移動を確実に規制でき、第２の弁体６１Ｂの後方移動距離ｄを、ばらつきなく一層確実に設定できる。前記実施の形態以外にも、本考案は、第２の弁体６１Ｂ後端が隔壁３に当接可能に構成し、隔壁３が規制壁部の機能を果たす構成でもよい。
【図面の簡単な説明】
【００４４】
【図１】本考案の両頭式筆記具の実施の形態を示す縦断面図である。
【図２】図１の第１ペン先側の非筆記時の要部拡大断面図である。
【図３】図２のＸ−Ｘ線断面図である。
【図４】図１の第１のペン先側の筆記時の要部拡大断面図である。
【図５】図１の第２ペン先側の非筆記時の要部拡大断面図である。
【図６】図５のＹ−Ｙ線断面図である。
【図７】図１の第２のペン先側の筆記時の要部拡大断面図である。
【符号の説明】
【００４５】
１  両頭式筆記具
２  軸筒
３  隔壁
３１  中央壁部
３２  第１の傾斜壁部
３３  第２の傾斜壁部
４Ａ  第１のペン先
５Ａ  第１のインキタンク
５１Ａ  第１の大径部
５２Ａ  第１の小径部
６Ａ  第１の弁装置
６１Ａ  第１の弁体
６１１Ａ  弁部
６１２Ａ  棒状部
６１３Ａ  摺動部
６１４Ａ  規制壁部
６２Ａ  第１の弁座
６２１Ａ  中心孔
６３Ａ  第１の弾発体
６４Ａ  第１の弁収容筒
６４１Ａ  ガイド孔
６４２Ａ  インキ流通孔
７Ａ  第１のインキ貯溜部
８Ａ  第１のペン先保持筒
９Ａ  第１のインキ吸収体
４Ｂ  第２のペン先
５Ｂ  第２のインキタンク
５１Ｂ  第２の大径部
５２Ｂ  第２の小径部
６Ｂ  第２の弁装置
６１Ｂ  第２の弁体
６１１Ｂ  弁部
６１２Ｂ  棒状部
６１３Ｂ  摺動部
６１４Ｂ  規制壁部
６２Ｂ  第２の弁座
６２１Ｂ  中心孔
６３Ｂ  第２の弾発体
６４Ｂ  第２の弁収容筒
６４１Ｂ  ガイド孔
６４２Ｂ  インキ流通孔
７Ｂ  第２のインキ貯溜部
８Ｂ  第２のペン先保持筒
９Ｂ  第２のインキ吸収体
１０  被筆記面
ａ  第１の弁体の後端と隔壁との間の軸方向の隙間
ｂ  第１の弁体の軸方向の移動可能距離
ｃ  第２の弁体の後端と隔壁との間の軸方向の隙間
ｄ  第２の弁体の軸方向の移動可能距離
【図１】
0003147230.tif 000003
【図２】
0003147230.tif 000004
【図３】
0003147230.tif 000005
【図４】
0003147230.tif 000006
【図５】
0003147230.tif 000007
【図６】
0003147230.tif 000008
【図７】
0003147230.tif 000009